(57)【要約】【課題】中空柱の内壁に突出したノロやほこりなどの付着物を高圧水の噴出力を用いて簡単な作業で効率的に除去する。【解決手段】ホース回転装置および高圧水注入装置を連結された細長い付着物除去用ホースを電柱内に挿入し、付着物除去用ホースの先端の周壁に開口部を形成し、付着物除去用ホース内へ高圧注入され先端に流入した水が開口部から中空柱の内壁および後方に向けて噴射され、高圧注入水の噴出により中空柱の内壁の付着物を除去しながら中空柱内を前進する。【選択図】図５
2010269230.tif 000002
【特許請求の範囲】
【請求項１】
下部の所定長部分が地中に埋設されて地上に立設された中空柱の内壁の付着物を除去する付着物除去装置であって、
先端が閉塞され、この先端から中空柱内に挿入される細長い付着物除去用ホースと、
この付着物除去用ホースの基端に連結され、該付着物除去用ホースを回転させるホース回転装置と、
付着物除去用ホースの基端に連結され、付着物除去用ホース内に水を高圧注入する高圧水注入装置と、
付着物除去用ホースの先端寄りの周壁に形成された開口部であって、付着物除去用ホースの基端から高圧水注入装置により高圧注入され付着物除去用ホース内を通って付着物除去用ホースの先端に流入した高圧注入水を当該開口部から中空柱の内壁に向かって噴射させ、この高圧注入水の噴射により中空柱の内壁の付着物を除去するとともに、付着物除去用ホースの先端を付着物除去用ホースとともに中空柱内を前進させるように形成される開口部と
を有することを特徴とする付着物除去装置。
【請求項２】
前記開口部は、付着物除去用ホースの基端の方に向かって傾斜して形成されていることを特徴とする請求項１記載の付着物除去装置。
【請求項３】
前記付着物除去用ホースの先端の内壁は、高圧注入水が跳ね返って開口部から外部に噴出し易いように円形に形成されていることを特徴とする請求項１または２記載の付着物除去装置。
【請求項４】
前記開口部は、付着物除去用ホースの円周方向において等角度で均等にかつ対称に複数形成されていることを特徴とする請求項１乃至３のいずれかに記載の付着物除去装置。
【請求項５】
前記開口部は、高圧注入水を中空柱の内壁に向かって線状に噴射するように細く複数形成されるとともに、この複数の開口部のうちの、第１の開口部は高圧注入水を第１の所定の水圧で中空柱の内壁に対してほぼ直角に線状に噴射し、第２の開口部は第１の開口部に対して１８０度反対側の周壁に形成され、高圧注入水を第１の所定の水圧よりも小さい第２の所定の水圧で中空柱の内壁に対してほぼ直角に線状に噴射し、第３の複数の開口部は付着物除去用ホースの先端寄りの周壁に対して均等に等角度で形成され、第１の所定の水圧よりも小さい第３の所定の水圧で中空柱の内壁に対して付着物除去用ホースの基端の方に向かって傾斜して中空柱の内壁に対して斜めに線状に噴射するように形成されていることを特徴とする請求項１または３または４記載の付着物除去装置。
【請求項６】
前記第３の複数の開口部は、３個の開口部を有することを特徴とする請求項５記載の付着物除去装置。
【請求項７】
請求項１乃至６のいずれかに記載の付着物除去装置を使用した付着物除去方法であって、
中空柱の地際より所定長上部の側部において中空柱の長手方向に細長い側部開口を形成する側部開口形成工程と、
この側部開口から付着物除去用ホースの先端部を中空柱の上方または下方に向けて付着物除去用ホースとともに挿入し、この付着物除去用ホースの通過した部分を除いて側部開口を閉塞するホース挿入工程と、
前記高圧水注入装置から付着物除去用ホース内に水を高圧注入するとともに、前記ホース回転装置で付着物除去用ホースを回転させ、高圧注入された水が付着物除去用ホース内を伝わって付着物除去用ホースとともに回転している付着物除去用ホースの先端の開口部から中空柱の内壁に向かって噴射し、この高圧注入水の噴出により中空柱の内壁の付着物を除去しながら付着物除去用ホースの先端を付着物除去用ホースとともに中空柱内を上方または下方に前進させ、中空柱の上方または下方における付着物を除去する第１の付着物除去工程と、
前記ホース挿入工程で付着物除去用ホースの先端を中空柱の下方または上方に向けて挿入し、前記第１の付着物除去工程で付着物除去用ホースの先端を付着物除去用ホースとともに中空柱内を下方または上方に前進させ、中空柱の下方または上方における付着物を除去する第２の付着物除去工程と
を有することを特徴とする付着物除去方法。
【請求項８】
中空柱の側部開口から中空柱内に太めの堆積物取出し用ホースを挿入し、この堆積物取出し用ホースの先端を中空柱の底に到達せしめ、
前記高圧注入水の噴出により中空柱の内壁から除去され中空柱の底に堆積した堆積物の間近に堆積物取出し用ホースの先端を接近させ、
この堆積物取出し用ホースの基端部を中空柱の外部に設けられた真空吸引装置に連結し、該真空吸引装置を作動して、中空柱の底に堆積した堆積物および水を堆積物取出し用ホースの先端から吸引し、中空柱の外部に排出する
ことを特徴とする請求項７記載の付着物除去方法。
【発明の詳細な説明】
【技術分野】
【０００１】
本発明は、下部の所定長部分が地中に埋設されて地上に立設された例えばコンクリート製の電柱などのような中空柱の内壁の付着物を除去する付着物除去装置および該装置を使用した付着物除去方法に関する。
【背景技術】
【０００２】
コンクリート製の電柱は、通常、電柱の基端部の所定長部分が地中に埋設されて地上に立設される。このような電柱は、その外周部が鉄筋とコンクリートにより作製される筒状体であり、その内部は空洞であり、この空洞の電柱の内壁にはコンクリートが内側に膨出して、いわゆるノロが形成され、このノロにより内壁はでこぼこになっている。
【０００３】
このようなコンクリート製の電柱は、その内部に補強材としての棒状部材を複数本挿入してから、これらの棒状部材の隙間に例えば豆砂利や砕石を投入し、更にモルタルやコンクリートなどを順次投入し、補強している。
【０００４】
しかしながら、コンクリート製の電柱の内壁には、上述したように、コンクリートが内側に膨出したノロが形成されて、でこぼこになっているため、上述した補強用の棒状部材を空洞の電柱の内部に挿入しようとしても、円滑に挿入できず、作業効率が悪い。
【０００５】
そこで、従来は、特許文献１、２に記載するように、切削工具を用いて、コンクリート製の電柱の内側に膨出したノロなどを切削しながら除去し、これによりコンクリート製の電柱の内壁を滑らかなものにしている。
【先行技術文献】
【特許文献】
【０００６】
【特許文献１】特開２００７―２２３１７７号公報
【特許文献２】特開２００７―２２３１７８号公報
【発明の概要】
【発明が解決しようとする課題】
【０００７】
上述した特許文献１、２に記載されている切削工具を用いて、コンクリート製の電柱の内壁に膨出したノロなどを切削しながら除去して滑らかにする従来の方法は、電柱の頂部に切削用モータや昇降用台座などを取り付けるなどの大げさな装置が必要であるとともに、電柱の頂部は例えば十数メートルなどの危険を伴う高所にあるため、切削用モータや昇降用台座などを取り付けることが非常に困難であり、作業性も極めて悪いとともに、切削工具は金属で形成されているため、電柱の内壁を必要以上に切削して傷つけてしまう恐れがある。
【０００８】
本発明は、上記に鑑みてなされたもので、その目的とするところは、中空柱の内壁に突出したノロやほこりなどの付着物を高圧水の噴射力を用いて簡単な作業で効率的に除去する付着物除去装置および該装置を用いた付着物除去方法を提供することにある。
【課題を解決するための手段】
【０００９】
上記課題を達成するため、請求項１記載の付着物除去装置は、下部の所定長部分が地中に埋設されて地上に立設された中空柱の内壁の付着物を除去する付着物除去装置であって、先端が閉塞され、この先端から中空柱内に挿入される細長い付着物除去用ホースと、この付着物除去用ホースの基端に連結され、該付着物除去用ホースを回転させるホース回転装置と、付着物除去用ホースの基端に連結され、付着物除去用ホース内に水を高圧注入する高圧水注入装置と、付着物除去用ホースの先端寄りの周壁に形成された開口部であって、付着物除去用ホースの基端から高圧水注入装置により高圧注入され付着物除去用ホース内を通って付着物除去用ホースの先端に流入した高圧注入水を当該開口部から中空柱の内壁に向かって噴射させ、この高圧注入水の噴射により中空柱の内壁の付着物を除去するとともに、付着物除去用ホースの先端を付着物除去用ホースとともに中空柱内を前進させるように形成される開口部とを有することを要旨とする。
【００１０】
請求項１記載の付着物除去装置では、ホース回転装置および高圧水注入装置を連結された細長い付着物除去用ホースを中空柱内に挿入し、付着物除去用ホースの閉塞された先端寄りの周壁に開口部を形成し、付着物除去用ホースの基端から高圧水注入装置により高圧注入され付着物除去用ホース内を通って先端部に流入した水が開口部から中空柱の内壁および付着物除去用ホースの方に向かって付着物除去用ホースの外部に噴射し、該高圧注入水の噴出により中空柱の内壁の付着物を除去し、先端部が付着物除去用ホースとともに中空柱内を前進するため、付着物除去用ホースの先端を中空柱の側部開口から挿入することにより中空柱の内壁の付着物を簡単かつ効率的に除去でき、従来のように中空柱の頂部などの危険を伴う高所から挿入する必要がなく、作業性が著しく向上するとともに、水を使用して付着物を除去しているため、金属の切削工具を使用したもののように中空柱の内壁を誤って傷つけてしまうこともない。
【００１１】
請求項２記載の付着物除去装置は、前記開口部が、付着物除去用ホースの基端の方に向かって傾斜して形成されていることを要旨とする。
【００１２】
請求項２記載の付着物除去装置では、開口部が付着物除去用ホースの基端の方に向かって傾斜して形成されているため、開口部からの高圧噴射水で中空柱の内壁の付着物を除去しながら付着物除去用ホースおよびその先端を前進させることができる。
【００１３】
請求項３記載の付着物除去装置は、前記付着物除去用ホースの先端の内壁が、高圧注入水が跳ね返って開口部から外部に噴出し易いように円形に形成されていることを要旨とする。
【００１４】
請求項３記載の付着物除去装置では、先端の内壁が円形に形成されているため、高圧注入水が跳ね返って開口部から外部に噴出し易く、中空柱の内壁の付着物を適確に除去することができる。
【００１５】
請求項４記載の付着物除去装置は、前記開口部が、付着物除去用ホースの円周方向において等角度で均等にかつ対称に複数形成されていることを要旨とする。
【００１６】
請求項４記載の付着物除去装置では、先端部の開口部が円周方向に等角度で均等にかつ対称に複数形成されているため、先端の開口部から噴出する高圧注入水により中空柱の内壁の付着物を適確に除去できるとともに、中空柱内を真直ぐに前進することができる。
【００１７】
請求項５記載の付着物除去装置は、前記開口部が、高圧注入水を中空柱の内壁に向かって線状に噴射するように細く複数形成されるとともに、この複数の開口部のうちの、第１の開口部は高圧注入水を第１の所定の水圧で中空柱の内壁に対してほぼ直角に線状に噴射し、第２の開口部は第１の開口部に対して１８０度反対側の周壁に形成され、高圧注入水を第１の所定の水圧よりも小さい第２の所定の水圧で中空柱の内壁に対してほぼ直角に線状に噴射し、第３の複数の開口部は付着物除去用ホースの先端寄りの周壁に対して均等に等角度で形成され、第１の所定の水圧よりも小さい第３の所定の水圧で中空柱の内壁に対して付着物除去用ホースの基端の方に向かって傾斜して中空柱の内壁に対して斜めに線状に噴射するように形成されていることを要旨とする。
【００１８】
請求項５記載の付着物除去装置では、開口部が高圧注入水を中空柱の内壁に向かって線状に噴射するように細く複数形成され、第１の開口部は高圧注入水を第１の所定の水圧で内壁に対してほぼ直角に線状に噴射し、第２の開口部は１８０度反対側の周壁に形成され、高圧注入水を小さい第２の所定の水圧で中空柱の内壁に対してほぼ直角に線状に噴射し、第３の複数の開口部は先端寄りの周壁に対して均等に等角度で形成され、小さい第３の所定の水圧で中空柱の内壁に対して付着物除去用ホースの基端の方に向かって傾斜して中空柱の内壁に対して斜めに線状に噴射するため、内壁に対してほぼ直角に第１の所定の水圧で線状に噴射する第１の高圧噴射水により内壁の付着物を確実に除去しながら、周壁に対して均等に等角度で小さい第３の所定の水圧で中空柱の内壁に対して斜めに線状に噴射する第３の複数の高圧噴射水により中空柱内を前進できるというように付着物の除去と前進を高圧噴射水の力のみで効率的に行うことができ、作業性を著しく向上することができる。
【００１９】
請求項６記載の付着物除去装置は、前記第３の複数の開口部が、３個の開口部を有することを要旨とする。
【００２０】
請求項６記載の付着物除去装置では、第３の複数の開口部が３個の開口部を有するため、中空柱内で片寄ることなく、円滑に前進することができる。
【００２１】
請求項７記載の付着物除去方法は、請求項１記載の付着物除去装置を使用した付着物除去方法であって、中空柱の地際より所定長上部の側部において中空柱の長手方向に細長い側部開口を形成する側部開口形成工程と、この側部開口から付着物除去用ホースの先端部を中空柱の上方または下方に向けて付着物除去用ホースとともに挿入し、この付着物除去用ホースの通過した部分を除いて側部開口を閉塞するホース挿入工程と、前記高圧水注入装置から付着物除去用ホース内に水を高圧注入するとともに、前記ホース回転装置で付着物除去用ホースを回転させ、高圧注入された水が付着物除去用ホースを伝わって付着物除去用ホースとともに回転している先端部の先端の内壁に当って跳ね返り、この跳ね返ってきた高圧注入水が先端部の開口部から中空柱の内壁および付着物除去用ホースの方に向かって付着物除去用ホースの外部に噴射し、この高圧注入水の噴出により中空柱の内壁の付着物を除去しながら先端部を付着物除去用ホースとともに中空柱内を上方または下方に前進させ、中空柱の上方または下方における付着物を除去する第１の付着物除去工程と、前記ホース挿入工程で先端部を中空柱の下方または上方に向けて付着物除去用ホースとともに挿入し、前記第1の付着物除去工程で先端部を付着物除去用ホースとともに中空柱内を下方または上方に前進させ、中空柱の下方または上方における付着物を除去する第２の付着物除去工程とを有することを要旨とする。
【００２２】
請求項７記載の付着物除去方法では、中空柱の側部開口から付着物除去用ホースの先端部を中空柱の上方または下方に向けて挿入し、付着物除去用ホース内に水を高圧注入し、付着物除去用ホースを回転させ、高圧注入水が付着物除去用ホースを伝わって付着物除去用ホースとともに回転している先端部の内壁に当って跳ね返り、この跳ね返ってきた高圧注入水が先端部の開口部から中空柱の内壁および付着物除去用ホースの方に向かってホースの外部に噴射し、この高圧注入水の噴出により中空柱の内壁の付着物を除去しながら先端部を付着物除去用ホースとともに中空柱内を上方または下方に前進させ、中空柱の上方または下方における付着物を除去するため、付着物除去用ホースの先端部を中空柱の側部開口から単に挿入することにより高圧注入水により中空柱の内壁の付着物を簡単かつ効率的に除去でき、従来のように中空柱の頂部などの危険を伴う高所から挿入する必要がなく、作業性が著しく向上するとともに、水を使用して付着物を除去しているため、金属の切削工具を使用したもののように中空柱の内壁を誤って傷つけてしまうこともない。
【００２３】
請求項８記載の付着物除去方法は、中空柱の側部開口から中空柱内に太めの堆積物取出し用ホースを挿入し、この堆積物取出し用ホースの先端を中空柱の底に到達せしめ、前記高圧注入水の噴出により中空柱の内壁から除去され中空柱の底に堆積した堆積物の間近に堆積物取出し用ホースの先端を接近させ、この堆積物取出し用ホースの基端部を中空柱の外部に設けられた真空吸引装置に連結し、該真空吸引装置を作動して、中空柱の底に堆積した堆積物および水を堆積物取出し用ホースの先端から吸引し、中空柱の外部に排出することを要旨とする。
【００２４】
請求項８記載の付着物除去方法では、付着物取出し用ホースを中空柱内に挿入し、その先端を中空柱の底に堆積した堆積物の間近に接近させ、この堆積物取出し用ホースの基端部を真空吸引装置に連結し、該真空吸引装置を作動して、中空柱の底に堆積した堆積物を堆積物取出し用ホースの先端から吸引し、中空柱の外部に排出するため、中空柱の底に堆積した堆積物も比較的簡単に外部に排出することができる。
【発明の効果】
【００２５】
本発明によれば、ホース回転装置および高圧水注入装置を連結された付着物除去用ホースを中空柱内に挿入し、この付着物除去用ホース内に高圧水注入装置により高圧注入され付着物除去用ホースの先端に流入した水が開口部から中空柱の内壁に向かって噴射し、この噴射により内壁の付着物を除去するとともに、付着物除去用ホースの先端を付着物除去用ホースとともに中空柱内を前進させるので、付着物除去用ホースの先端を中空柱の側部開口から単に挿入するだけで中空柱の内壁の付着物を簡単かつ効率的に除去でき、従来のように中空柱の頂部などの危険を伴う高所から挿入する必要がないだけでなく、従来のように昇降動作のためのモータなども不要であり、作業性が著しく向上し、かつ経済的であるとともに、水を使用して付着物を除去しているため、従来のように金属の切削工具を使用したもののように中空柱の内壁を誤って傷つけてしまうこともない。
【００２６】
また、本発明によれば、開口部が高圧注入水を中空柱の内壁に向かって線状に噴射するように細く複数形成され、第１の開口部は高圧注入水を第１の所定の水圧で内壁にほぼ直角に線状に噴射し、第２の開口部は反対側の内壁にほぼ直角に小さい第２の所定の水圧で線状に噴射し、第３の複数の開口部は小さい第３の所定の水圧で中空柱の内壁に均等に等角度で内壁に対して斜めに線状に噴射するので、内壁に対してほぼ直角に第１の高圧噴射水により内壁の付着物を確実に除去しながら、第３の複数の高圧噴射水により中空柱内を前進できるというように付着物の除去と前進を高圧噴射水の力のみで効率的に行うことができ、作業性を著しく向上することができる。
【００２７】
本発明によれば、中空柱の側部開口から付着物除去用ホースを中空柱の上方または下方に向けて挿入し、付着物除去用ホース内に水を高圧注入し、付着物除去用ホースを回転させ、高圧注入水が付着物除去用ホースを伝わって付着物除去用ホースとともに回転している先端部の内壁に当って跳ね返り、この跳ね返ってきた高圧注入水が先端部の開口部から中空柱の内壁および付着物除去用ホースの方に向かってホースの外部に噴射し、この高圧注入水の噴出により中空柱の内壁の付着物を除去しながら先端部を付着物除去用ホースとともに中空柱内を上方または下方に前進させ、中空柱の上方または下方における付着物を除去するので、付着物除去用ホースの先端部を中空柱の側部開口から単に挿入するという簡単な作業で高圧注入水により中空柱の内壁の付着物を簡単かつ効率的に除去でき、従来のように中空柱の頂部などの危険を伴う高所から挿入する必要がないだけでなく、従来のように昇降動作のためのモータなども不要であり、作業性が著しく向上し、かつ経済的であるとともに、水を使用して付着物を除去しているため、金属の切削工具を使用したもののように中空柱の内壁を誤って傷つけてしまうこともない。
【図面の簡単な説明】
【００２８】
【図１】本発明の一実施形態に係わる付着物除去装置の全体構成を示す図である。
【図２】図１に示す付着物除去装置の付着物除去用ホースの先端に取り付けられている連結部および先端部を拡大して示す図である。
【図３】図２に拡大して示した付着物除去用ホース、連結部および先端部を示す断面図である。
【図４】図３に示す付着物除去用ホース、連結部および先端部における高圧注入水の流れおよび先端部の開口部から外部に噴出する水の流れを示している図である。
【図５】図１に示す付着物除去装置を使用して中空柱である電柱の側部開口より上方における内壁の付着物を除去する作業を示す図である。
【図６】図１に示す付着物除去装置を使用して中空柱である電柱の側部開口より下方における内壁の付着物を除去する作業を示す図である。
【図７】電柱の内壁の付着物が除去されて電柱の底に堆積した堆積物を真空吸引装置で外部に排出する状態を示す図である。
【図８】本発明の他の実施形態に係わる付着物除去装置に使用されている付着物除去用ホースの先端の開口部から噴射する高圧注入水の噴射方向および噴射強度を示す説明図である。
【図９】図８に示す実施形態の付着物除去装置において高圧注入水の別の噴射方向および噴射強度を示す説明図である。
【図１０】付着物除去用ホースの先端部のノズルのみを回転し、複数の高圧噴射水を噴射するようにした場合の付着物除去装置の説明図である。
【図１１】付着物除去用ホースの先端部のノズルのみを回転し、複数の高圧噴射水の噴射を図１０と異なるようにした場合の付着物除去装置の説明図である。
【図１２】付着物除去用ホースの先端部のノズルのみを回転し、複数の高圧噴射水の噴射を図１１と異なるようにした場合の付着物除去装置の説明図である。
【発明を実施するための形態】
【００２９】
以下、図面を用いて、本発明を実施するための形態を説明する。
【００３０】
図１は、本発明の一実施形態に係わる付着物除去装置の全体構成を示す図である。同図に示す付着物除去装置は、例えば下部の所定長部分が地中に埋設されて地上に立設されたコンクリート製の電柱などの中空柱の内壁の付着物を除去すべく中空柱の内部に挿入される細長い付着物除去用ホース１を有し、この付着物除去用ホース１の先端には連結部３を介して先端部５が付着物除去用ホース１の先端を閉塞するように取り付けられ、この先端部５の先端は円形に形成されている。
【００３１】
一方、付着物除去用ホース１の基端には、結合装置１１を介してモータなどからなるホース回転装置１３および高圧水注入装置１５が取り付けられている。ホース回転装置１３は、付着物除去用ホース１を回転させるものであり、高圧水注入装置１５は、付着物除去用ホース１内に水を高圧注入するものである。なお、結合装置１１は、車輪が取り付けられ、これにより移動可能なようになっている。
【００３２】
図２は、付着物除去用ホース１の先端に取り付けられている連結部３および先端部５を拡大して示す図である。先端部５は、連結部３を介して付着物除去用ホース１の先端に取り付けられているが、この先端部５は、付着物除去用ホース１とともに前記ホース回転装置１３により矢印１００、１０１で示すように回転するようになっている。
【００３３】
また、先端部５の先端寄りの周壁、すなわち先端部５の付着物除去用ホース１との連結側と反対側の先端寄りの周壁には、開口部５１が複数形成されているが、この開口部５１は、後述する図３から分かるように、先端部５の先端寄りから連結部３との連結部に向かって、すなわち付着物除去用ホース１の基端に向かって断面が斜めに形成されているとともに、開口部５１は円周方向に等角度で均等にかつ円周方向において対称に複数形成されている。
【００３４】
図３は、図２に拡大して示した付着物除去用ホース１、連結部３および先端部５を示す断面図である。連結部３の一端は、付着物除去用ホース１の先端にねじ込みや接着などにより固定的に連結され、また連結部３の他端は、先端部５の端部にねじ込みや接着などにより固定的に連結され、これにより付着物除去用ホース１が前記ホース回転装置１３により矢印１００で示すように回転すると、先端部５も同様に矢印１０１で示すように回転するようになっている。また、先端部５の先端の内壁５ａは、円形に形成され、これにより後述するように高圧水注入装置１５からの高圧注入水を開口部５１の方に跳ね返して外部に噴出し易いように形成されている。
【００３５】
図４は、高圧水注入装置１５から付着物除去用ホース１内に高圧注入された水が付着物除去用ホース１から連結部３を介して先端部５に至り、この高圧注入水が先端部５の先端の内壁５ａで跳ね返されて開口部５１から外部に噴出する水の流れを示している図である。
【００３６】
高圧水注入装置１５から付着物除去用ホース１内に高圧注入された水は、図４で小さな多数の矢印で示すように、付着物除去用ホース１から連結部３を通過し、先端部５に至り、先端部５の先端の内壁５ａで跳ね返され、断面が斜めに形成された開口部５１から外部に噴出する。
【００３７】
この開口部５１から外部に噴出した高圧注入水は、開口部５１から中空柱の内壁および後方である付着物除去用ホース１の方に向かって、勢いよく噴射し、中空柱の内壁に向かった高圧注入水は、中空柱の内壁の付着物を除去し、また後方の付着物除去用ホース１の方に向かった高圧注入水は、先端部５を付着物除去用ホース１とともに矢印２００で示す方向に前進させるようになっている。
【００３８】
次に、以上のように構成される付着物除去装置の作用について図５および６を参照して説明する。
【００３９】
まず、図５に示すように、中空柱である例えばコンクリート製の電柱２１は、上部が省略されて図示されていないが、全長が例えば１６ｍほどあり、その最下端から約２．６メートルほどの下部が地中に埋設されて立設され、地上には残りの１３．４ｍほどの部分が現れているが、その外周部は鉄筋とコンクリートにより形成される筒状であり、その内部は空洞、すなわち中空となっているが、このような中空柱である電柱２１の内壁にはコンクリートが内側に膨出して、いわゆるノロが形成され、このノロにより内壁はでこぼこになっているし、またほこりなども付着している。本実施形態の付着物除去装置は、このように電柱２１の内壁の付着物であるノロやほこりなどを除去しようとするものである。
【００４０】
また、電柱２１は、地中に埋設された地中部分の下部と地上に立設された地上部分との境の地際から地上約２メートルの側面に例えば幅６センチメートル、長さ４０センチメートル程度の細長い側部開口２１ａが電柱２１の長手方向に沿って形成されている。本実施形態の付着物除去装置は、その付着物除去用ホース１を当該側部開口２１ａから電柱２１内に図５に示すように挿入するようになっている。
【００４１】
しかしながら、電柱２１に側部開口２１ａが形成されていない場合には、電柱２１の地際から所定長上部の側面、具体的には電柱２１の地際から例えば地上約２メートルの側面において電柱２１の長手方向に細長い側部開口２１ａを形成する。
【００４２】
それから、本実施形態の付着物除去装置の付着物除去用ホース１の先端部を電柱２１の側部開口２１ａから電柱２１の上方に向けて付着物除去用ホース１とともに挿入する。それから、この付着物除去用ホース１の通過した部分を除いて側部開口２１ａを閉塞板２３で閉塞する。
【００４３】
次に、高圧水注入装置１５を作動して、高圧水注入装置１５から付着物除去用ホース１の中に水を高圧注入するとともに、ホース回転装置１３を作動して、付着物除去用ホース１を回転させ、高圧水注入装置１５から高圧注入された水がホース回転装置１３で回転する付着物除去用ホース１の中を伝わって付着物除去用ホース１とともに回転している先端部５の先端の内壁５ａに当って跳ね返らせる。
【００４４】
このように先端部５の内壁５ａから跳ね返ってきた高圧注入水は、先端部５の開口部５１から電柱２１の内壁に向かうように付着物除去用ホース１の外部に噴出するとともに、後方の付着物除去用ホースの方に向かって付着物除去用ホース１の外部に噴射する。
【００４５】
この結果、先端部５の開口部５１から電柱２１の内壁に向かって噴出した高圧注入水は、電柱２１の内壁の付着物２５に衝突し、付着物２５を除去する。一方、先端部５の開口部５１から後方の付着物除去用ホースの方に向かって噴出した高圧注入水は、付着物除去用ホース１の後方に向かって噴出しているため、付着物除去用ホース１の先端部５および付着物除去用ホース１の前進力となり、矢印２００で示すように先端部５および付着物除去用ホース１を電柱２１の中の上方に前進させる。
【００４６】
このように、付着物除去用ホース１の先端部５の開口部５１から高圧注入水を外部に噴出させることにより、電柱２１の内壁の付着物を除去しながら付着物除去用ホース１の先端部５は電柱２１の中を上方に電柱２１の頂部まで前進して、電柱２１の内壁の付着物を完全に除去することができるが、この場合において付着物除去用ホース１および先端部５はホース回転装置１３により回転していて、先端部５の開口部５１も同様に回転しているため、この回転により開口部５１から噴出する高圧注入水は、電柱２１の内壁の一部のみでなく、内壁の全体、すなわち内壁の全周面に満遍なく当り、電柱２１の内壁の全体に存在するノロやほこりなどの付着物を完全に除去することができる。
【００４７】
以上のようにして、電柱２１の側部開口２１ａから上方部を電柱２１の頂部までの付着物を除去した後、次に図６に示すように、電柱２１の側部開口２１ａから下方部を電柱２１の底まで同様に行うことにより、電柱２１の下方の内壁の付着物も同様に除去することができる。
【００４８】
上述したように除去された電柱２１の内壁から除去された付着物は、図７に示すように、電柱２１の底に堆積物３１として堆積されるので、この堆積物３１を電柱２１の外部に排出するために、真空吸引装置３５を設け、この真空吸引装置３５に太めの堆積物取出し用ホース３３の基端部を連結するとともに、この堆積物取出し用ホース３３の先端を電柱２１の側部開口２１ａから電柱２１の中に挿入する。
【００４９】
そして、この堆積物取出し用ホース３３の先端を図７に示すように電柱２１の底まで移動し、電柱２１の底に堆積されている堆積物３１の間近に堆積物取出し用ホース３３の先端を接近させる。それから、真空吸引装置３５を作動させると、電柱２１の底に堆積された堆積物３１は、真空吸引装置３５の真空吸引力により堆積物取出し用ホース３３の先端から吸引され、図７に示すように真空吸引装置３５の後部に連結されている排出ホース３３ａから外に排出される。なお、この時、図５、６で説明したように、高圧注入水を噴出して付着物を除去した結果として電柱２１の底に溜まった水も付着物取出し用ホース３３で吸引され排出ホース３３ａから外に排出されることは勿論のことである。
【００５０】
図８（ａ）、（ｂ）および図９（ａ）、（ｂ）は、本発明の他の実施形態に係わる付着物除去装置に使用されている付着物除去用ホースの先端の開口部から中空柱である電柱の内壁に向かって噴射する高圧注入水の噴射方向および噴射強度を示す図であり、両図において（ａ）は、電柱および付着物除去用ホースを側方から見た図であり、（ｂ）は、電柱および付着物除去用ホースを上方から見た図である。
【００５１】
まず、図８（ａ）、（ｂ）に示すように、中空柱である電柱２１の中に挿入された付着物除去用ホース１の先端部５の開口部からは、太い点線の矢印６１および細い点線の矢印６２〜６５で示すように高圧水注入装置１５からの高圧注入水が電柱２１の内壁に向かって線状に噴射している。なお、矢印６１〜６５で示すように高圧注入水を線状に噴射する開口部（図示せず）の口径は、比較的小さく、例えば円形に形成されている。
【００５２】
太い矢印６１で示す第１の高圧噴射水は、図８（ａ）から分かるように、電柱２１の内壁に対してほぼ直角に線状に噴射しているが、この第１の高圧噴射水は、比較的小さな口径の開口部を例えば１５リットル／分の流量で噴射するのに相当する比較的強い第１の所定の水圧で噴射され、電柱２１の内壁の付着物２５を確実に除去するようになっている。
【００５３】
細い矢印６２で示す第２の高圧噴射水は、図８（ａ）、（ｂ）から分かるように、第１の高圧噴射水に対して１８０度反対側の電柱２１の内壁に対してほぼ直角に線状に噴射しているが、この第２の高圧噴射水は、比較的小さな口径の開口部を例えば５リットル／分の流量で噴射するのに相当する若干弱い第２の所定の水圧で噴射され、電柱２１の内壁に当たるようになっている。この第２の高圧噴射水は、第１の高圧噴射水の第１の所定の水圧よりも小さな第２の所定の水圧に設定されているが、この第２の高圧噴射水は、第１の高圧噴射水による付着物除去用ホース１の先端部５の偏り動作などを抑制したり、バランスをとるように補助しているものである。
【００５４】
細い矢印６３〜６５で示す第３の複数（本実施形態では３つ）の高圧噴射水は、図８（ａ）、（ｂ）から分かるように、付着物除去用ホース１の周壁を均等に三分割した１２０度の等角度で電柱２１の内壁に対して付着物除去用ホース１の基端の方に向かって傾斜して電柱２１の内壁に斜めに線状に噴射しているが、この第３の複数の高圧噴射水は、第２の高圧噴射水と同様に、比較的小さな口径の開口部を例えば５リットル／分の流量で噴射するのに相当する第３の所定の水圧で噴射され、電柱２１の内壁に当たるようになっている。
【００５５】
この第３の複数の高圧噴射水は、第１の高圧噴射水の第１の所定の水圧よりも小さな第３の所定の水圧に設定されているが、この第３の複数の高圧噴射水は、電柱２１の内壁に対して等角度でかつ電柱２１の内壁に対して付着物除去用ホース１の基端の方に向かって傾斜して電柱２１の内壁に斜めに線状に噴射することにより、付着物除去用ホース１の先端部５を付着物除去用ホース１とともに矢印２０２で示すように上方に前進させるようになっている。
【００５６】
以上のように高圧噴射水の噴射方向が設定された先端部５の開口部の構造を有する付着物除去装置において、その付着物除去用ホース１の基端部に接続されている高圧水注入装置１５を作動して、高圧水注入装置１５から付着物除去用ホース１の中に水を高圧注入するとともに、ホース回転装置１３を作動して、付着物除去用ホース１を回転させ、高圧水注入装置１５から高圧注入された水がホース回転装置１３で回転する付着物除去用ホース１の中を伝わって付着物除去用ホース１とともに回転している先端部５に至るとともに、また先端の内壁に当って跳ね返ると、この先端部５に至った高圧注入水は、先端部５の開口部から図８に示すように第１〜第５の高圧噴射水６１〜６５として電柱２１の内壁に向かって線状に噴射する。
【００５７】
このように電柱２１の内壁に向かって噴射した高圧噴射水６１〜６５のうち、第１の高圧噴射水６１は、比較的強い第１の所定の水圧で電柱２１の内壁に対してほぼ直角に噴射し、電柱２１の内壁の付着物２５を確実に除去する。この時、第２の高圧噴射水６２は、第１の高圧噴射水６１に対して１８０度反対側の電柱２１の内壁に対してほぼ直角に線状に噴射し、第１の高圧噴射水による付着物除去用ホース１の先端部５の偏り動作などを抑制したり、バランスをとるように補助している。
【００５８】
第３の複数（本実施の形態では、３つ）の高圧噴射水６３〜６５は、１２０度の等角度で電柱２１の内壁に対して付着物除去用ホース１の基端の方に向かって傾斜して電柱２１の内壁に斜めに線状に噴射し、これにより付着物除去用ホース１およびその先端部５を矢印２０２で示すように前進させるようになっている。
【００５９】
一方、付着物除去用ホース１およびその先端部５は、ホース回転装置１３により回転、すなわち自転しているので、この自転と第１〜第５の高圧噴射水の内壁への噴射により図８（ｂ）において矢印２０４で示すように電柱２１の内部を公転し、水圧の強い第１の高圧噴射水６１は、図８では電柱２１の右側の内壁に近づいたり、また例えば図９に示すように、電柱２１の反対側の内壁に近づくように公転する。この公転により、第１〜第５の高圧噴射水、特に水圧の強い第１の高圧噴射水が電柱２１の内壁の全周面に満遍なく当り、電柱２１の内壁の全体に存在するノロやほこりなどの付着物を完全に除去することができる。また、付着物除去用ホース１の先端部５の開口部からは、第３の複数の高圧噴射水が付着物除去用ホース１の基端の方に向かって傾斜して電柱２１の内壁に斜めに線状に噴射しているので、付着物除去用ホース１およびその先端部５は、この第３の複数の高圧噴射水の噴射力により図８（ａ）で矢印２０２で示すように上方に前進する。
【００６０】
以上の結果、付着物除去用ホース１およびその先端部５の自転と公転により水圧の強い第１の高圧噴射水が電柱２１の内壁の全周面に満遍なく当り、電柱２１の内壁の全体に存在するノロやほこりなどの付着物を完全に除去するとともに、第３の複数の高圧噴射水が電柱２１の内壁に斜めに線状に噴射することによる付着物除去用ホース１およびその先端部５は前進するため、電柱２１の下方から上方に至るすべての内壁の付着物２５は、完全に除去されることになる。
【００６１】
図１０は、付着物除去用ホース１を回転させずに、付着物除去用ホース１の先端部５のノズル５０のみを回転するとともに、図８と同様に水圧の強い第１の高圧噴射水６１、水圧の弱い第２の高圧噴射水６２および水圧が弱く電柱２１の内壁に斜めに噴射する第３の複数の高圧噴射水６３、６４を噴射するようにした場合の付着物除去装置の説明図である。
【００６２】
なお、第１の高圧噴射水６１は、例えば１５リットル／分の流量で噴射するのに相当する比較的強い第１の所定の水圧で線状に噴射され、第２の高圧噴射水は、例えば５リットル／分の流量で噴射するのに相当する若干弱い第２の所定の水圧で線状に噴射され、第３の複数の高圧噴射水は、例えば５リットル／分の流量で噴射するのに相当する第３の所定の水圧で線状に噴射されている。
【００６３】
このように構成される付着物除去装置では、付着物除去用ホース１の先端部５の噴射ノズル５０は、回転せず、電柱２１の一方の内壁に留まり、内壁のノロを除去することはできないとともに、付着物除去用ホース１およびその先端部５の上方への前進もやや困難である。
【００６４】
図１１は、図１０において電柱２１の内壁に対してほぼ直角に噴射する第１の高圧噴射水６１と第２の高圧噴射水６２の水圧を若干弱くした同じ水圧、すなわち１０リットル／分の流量で噴射するのに相当する若干弱い水圧に設定した点が異なるものであり、その他の構成、設定などは図１０と同じである。なお、第３の複数の高圧噴射水６３、６４は、図１０と同じように、５リットル／分の流量で噴射するのに相当する若干弱い第２の所定の水圧で電柱２１の内壁に対して斜めに噴射されるようになっている。
【００６５】
このように構成される付着物除去装置では、付着物除去用ホース１の先端部５の噴射ノズル５０は、良好に回転するが、噴射ノズル５０と電柱２１の内壁との間の距離が長いとともに、第１、第２の高圧噴射水６１、６２の水圧が不足し、電柱２１の内壁のノロを除去することができない。また、噴射ノズル５０は電柱２１の中央に留まってしまい、公転することができない。なお、噴射ノズル５０は正常に前進することができた。
【００６６】
図１２は、図１１において１０リットル／分の流量で噴射するのに相当する水圧に設定された第１の高圧噴射水６１のみを使用し、その他の高圧噴射水は削除した点が異なるものであり、その他の構成、設定などは図１０と同じである。
【００６７】
このように第１の高圧噴射水６１のみを使用して構成される付着物除去装置では、付着物除去用ホース１の先端部５の噴射ノズル５０は、回転せず、また噴射ノズル５０と電柱２１の内壁との間の距離が長いとともに、第１の高圧噴射水６１の水圧が不足し、電柱２１の内壁のノロを除去することができない。噴射ノズル５０は、電柱２１の一方の内壁に留まり、付着物除去用ホース１およびその先端部５の上方への前進も困難であり、手動ではばらついていた。
【符号の説明】
【００６８】
１  付着物除去用ホース
３  連結部
５  先端部
５ａ  先端部の先端の内壁
１１  結合装置
１３  ホース回転装置
１５  高圧水注入装置
２１  電柱
２１ａ  側部開口
２５  付着物
３１  堆積物
３３  堆積物取出し用ホース
３５  真空吸引装置
３３ａ  排出ホース
５１  開口部
６１  第１の高圧噴射水
６２  第２の高圧噴射水
６３  第３の高圧噴射水
【図１】
2010269230.tif 000003
【図２】
2010269230.tif 000004
【図３】
2010269230.tif 000005
【図４】
2010269230.tif 000006
【図５】
2010269230.tif 000007
【図６】
2010269230.tif 000008
【図７】
2010269230.tif 000009
【図８】
2010269230.tif 000010
【図９】
2010269230.tif 000011
【図１０】
2010269230.tif 000012
【図１１】
2010269230.tif 000013
【図１２】
2010269230.tif 000014